(57)【特許請求の範囲】
【請求項１】
長さ方向、周囲方向、および外面を有する織物ロープであって、前記織物ロープは、
前記織物ロープの前記長さ方向に複数のマルチフィラメント繊維からなる内側部と、
ジャケット部とからなるものであって、前記ジャケット部は前記内側部を覆い、前記ジャケット部は、前記織物ロープの前記長さ方向にある複数のモノフィラメント繊維と、前記ジャケット部の前記長さ方向の前記モノフィラメント繊維と織り合わされた周囲方向にある少なくとも１つのマルチフィラメント繊維からなり、前記周囲方向にあるマルチフィラメント繊維は前記織物ロープの長さに沿う連続的な環状の螺旋であり、前記モノフィラメント繊維が前記織物ロープの大部分の外面を形成するものである、
織物ロープ。
【請求項２】
前記内側部の前記マルチフィラメント繊維がポリエステルまたはアラミドからなる、請求項１に記載の織物ロープ。
【請求項３】
前記内側部の前記マルチフィラメント繊維が少なくとも１，０００ｌｂｓ（４５３．５９Ｋｇ）の引っ張り強さを有する、請求項１に記載の織物ロープ。
【請求項４】
前記ジャケット部の前記マルチフィラメント繊維がポリエステルまたはポリプロピレンからなる、請求項１に記載の織物ロープ。
【請求項５】
前記ジャケット部の前記マルチフィラメント繊維が少なくとも３，０００ｌｂｓ（１，３６０．７７Ｋｇ）の引っ張り強さを有する、請求項１に記載の織物ロープ。
【請求項６】
前記ジャケット部の前記モノフィラメント繊維がポリエチレンからなる、請求項１に記載の織物ロープ。
【請求項７】
前記ジャケット部における前記モノフィラメント繊維が、前記内側部における前記マルチフィラメント繊維および前記ジャケット部における前記マルチフィラメント繊維より小さい摩擦係数を有する、請求項１に記載の織物ロープ。
【請求項８】
前記ジャケット部における前記モノフィラメント繊維および前記マルチフィラメント繊維が、綾織り構造で織られる、請求項１に記載の織物ロープ。
【請求項９】
前記ジャケット部における前記モノフィラメント繊維および前記マルチフィラメント繊維が、畝織り構造で織られる、請求項１に記載の織物ロープ。
【請求項１０】
前記ジャケット部における前記モノフィラメント繊維および前記マルチフィラメント繊維が、平織り構造で織られる、請求項１に記載の織物ロープ。
【請求項１１】
前記織物ロープが、円形の断面形状を有する、請求項１に記載の織物ロープ。
【請求項１２】
前記織物ロープが、長円形の断面形状を有する、請求項１に記載の織物ロープ。
【請求項１３】
前記ジャケット部が、前記周囲方向において１本の連続的なマルチフィラメント繊維からなる、請求項１に記載の織物ロープ。
【発明の詳細な説明】
【技術分野】
【０００１】
本発明は、導管および保護スリーブ内の細長い品物の位置決めを容易にするために使用する織物ロープに一般に関する。
【背景技術】
【０００２】
電話、映像、またはコンピュータの通信ネットワークのために使用されるケーブルおよび光ファイバーケーブルの束などの細長い要素が、地面に埋め込まれた保護導管内にしばしば設置される。導管は一度設置されると、特に複数の曲がりを有する小さい導管では、導管内にケーブルなどを導入するのが困難な場合がある。導管内での細長い要素の位置決め、および、導管内での保護スリーブの位置決めを容易にすることができる織物プルロープを使用することは、有利である。
【発明の概要】
【０００３】
織物ロープは、織物ロープの長さ方向において複数のマルチフィラメント繊維からなる内側部と、内側部を覆うジャケット部とからなる。ジャケット部は、織物ロープの長さ方向に複数のモノフィラメント繊維を有し、周囲方向にジャケット部の長さ方向のモノフィラメント繊維と織り合わされた少なくとも１本のマルチフィラメント繊維を有する。ジャケット部のモノフィラメント繊維は、織物ロープの外面の大部分を形成する。
【図面の簡単な説明】
【０００４】
【図１】は典型的な織物ロープの実施形態を概略的に示す図。
【０００５】
【図２】は円形の断面を有する典型的な織物ロープの断面を概略的に示す図。
【０００６】
【図３】は長円形の断面を有する典型的な織物ロープの断面を概略的に示す図。
【０００７】
【図４】は導管内での内側ダクト構造の典型的な織物ロープの１つの実施形態を示す図。
【発明を実施するための形態】
【０００８】
フラットテープが、伝統的に、高い摩擦熱によりダクトが切断されるのを防止するため、いくつかの内側ダクトの用途のためのプルテープとして使用されてきた。 フラットテープと共に使用されるダクトは、典型的には層（約２〜４インチまたは約５〜１０ｃｍの範囲）である。 これらのより大きなダクトは、引っ張りの最初の開始の間にテープが破断なく動き回るための空間を許容する。より小さいダクト（典型的には、約４または５ｃｍ未満）は、フラットテープが破断しないようにするために必要とされる空間を有し得ない。
【０００９】
織物テープの代わりに、織物ロープ１０の使用によって、ロープは、ケーブルを保護するだけでなくダクトも保護する。より小さなダクトでは、ロープが側壁とのより低い表面接触であり、ロープが引っ張りの開始時に「破損しない」ことを可能にし、引張張力を低下させる。
【００１０】
織物ロープは、導管（パイプまたは管とも称される）内および保護スリーブ内（内側ダクトスリーブ構造など）での細長い品物（ケーブルなど）の位置決めを容易にするために使用される。
【００１１】
本明細書で使用する「糸」は、本出願では、モノフィラメントの細長い物体、マルチフィラメントの細長い物体、リボン、帯片、繊維、テープなどを含む。糸という用語は、複数の上記のいずれか１つまたは組み合わせを含む。糸は、連続的な紡績ステープルヤーン、モノフィラメント、またはマルチフィラメントや、単一の組成、２つの組成、または複数の組成などの任意の適切な形態であってもよく、円形、多葉形、正方形または長方形（テープ）、および長円形などの任意の適切な断面形状を有する。
【００１２】
図１には、織物ロープ１０の一実施形態が示されている。織物ロープ１０は、長さ方向（ロープの長さに沿う方向）の内側部１０ａと、ジャケット部１０ｂとからなる。ジャケット部１０ｂは、ロープ１０の長さに沿って内側部１０ａを覆っており、ロープ１０の外面を形成している。ロープ１０は、図２の円形または図３の長円形など、任意の適切な断面形状を有することができる。一実施形態では、ロープ１０は、約４００ｌｂｓから約３，０００ｌｂｓまでの間の引張強度を呈する。図４は、導管５１０内の内側ダクト構造５２０におけるロープ１０の一実施形態を示している。
【００１３】
ロープ１０の内側部１０ａは糸１００を含んでいる。糸１００は、任意の適切な糸であり、ロープの長さ方向に延びている。好ましくは、糸１００は、織られていないか、または、（相当の度合いまで）互いと撚り合わされておらず、ロープ１０の長さに沿って各々延びている。好ましくは、糸１００は連続的なマルチフィラメント糸である。一実施形態では、ロープ１０の内側部１０ａは、マルチフィラメント糸１００の約１５〜４０本の端部を含んでいる。糸の各々の端部は、好ましくは、少なくとも約２００本のフィラメントを有し、より好ましくは、約３００本から６００本のフィラメントを有する。一実施形態では、糸１００のすべての総デニールは、約５，０００から約６０，０００までの間であり、より好ましくは、約１０，０００から約４０，０００までの間である。
【００１４】
糸１００についての適切な材料には、ポリアミド、アラミド（メタ系およびパラ系を含む）、レーヨン、ＰＶＡ（ポリビニルアルコール）、ポリエステル、ポリオレフィン、ポリビニル、ナイロン（ナイロン６、ナイロン６，６、およびナイロン４，６を含む）、ポリエチレンナフタレート（ＰＥＮ）、綿、スチール、炭素、繊維ガラス、鋼鉄、ポリアクリル酸、ポリトリメチレンテレフタレート（ＰＴＴ）、ポリシクロヘキサンジメチレンテレフタレート（ＰＣＴ）、ポリブチレンテレフタレート（ＰＢＴ）、ポリエチレングリコール（ＰＥＧ）で変性されたＰＥＴ、ポリ乳酸（ＰＬＡ）、ポリトリメチレンテレフタレート、ナイロン（ナイロン６およびナイロン６，６を含む）；再生セルロース（レーヨンまたはテンセルなど）；スパンデックスなどのエラストマ材料；ポリアラミドなどの高性能繊維、綿、リンネル、ラミー、および麻などのポリイミド天然繊維、絹、羊毛、ならびに、アンゴラ、アルパカ、およびビクーニャなどの他の動物の毛などのタンパク性材料、繊維強化ポリマ、熱硬化性ポリマ、それらの混合物、それらの混紡糸がある。
【００１５】
好ましくは、糸１００は、マルチフィラメント糸であり、少なくとも約１０００ｌｂｓ、より好ましくは少なくとも１２００ｌｂｓ、より好ましくは少なくとも２５００ｌｂｓ、より好ましくは少なくとも３０００ｌｂｓの引張強度を有する。糸１００が大きな引張強度を有していることは、ロープ強度が大きな負荷のケーブル引っ張りを支えることを助ける。好ましい一実施形態では、糸１００は、引張強度および費用のために好ましいとされる連続的なマルチフィラメントのポリエステル糸である。
【００１６】
図１に戻って参照すると、ロープ１０のジャケット部１０ｂは内側部を覆い（好ましくは、長さ方向におけるロープ１０の長さに沿って内側部１０ａを完全に覆う）、そしてロープ１０の外面を形成する複数の織られた糸からなる。一実施形態では、ジャケット部１０ｂは、ロープ１０の長さに沿う第１の方向（縦方向または縦糸方向としても知られている）における複数の糸２００と、糸２００と織り合わされる、糸と垂直の方向（周方向、緯糸方向、横糸方向、および機械の横断方向とも称される）の少なくとも１本の糸３００とからなる。
【００１７】
好ましい実施形態では、ジャケット部１０ｂは、ロープ１０の長さに沿う第１の方向における複数のモノフィラメント糸２００と、モノフィラメント糸２００と織り合わされ、モノフィラメント糸２００に垂直な方向にある、少なくとも１本のマルチフィラメント糸３００とからなる。糸２００および３００は、内側部１０ａの糸１００についてここで開示されているものなど、任意の適切な構造および材料とされる。好ましくは、糸２００は、少なくとも約１００ｌｂｓ、より好ましくは少なくとも５００ｌｂｓ、より好ましくは少なくとも１２００ｌｂｓ、より好ましくは少なくとも３０００ｌｂｓの引張強度を有する。
【００１８】
好ましくは、ロープ１０の外面の大部分は、好ましくはモノフィラメントである糸２００によって形成される。一実施形態では、ロープ１０の外面の少なくとも約５０％、より好ましくは少なくとも約７５％、より好ましくは少なくとも約９０％、より好ましくは少なくとも約９５％が、モノフィラメント糸２００である。
【００１９】
好ましくは、糸２００（好ましくは、モノフィラメント糸２００）は、小さい摩擦係数を有するモノフィラメントから形成される。これは、例えば、ポリエチレンなどの小さい係数の材料から糸２００を形成することで、または、フッ素系コーティング（例えば、ＰＴＦＥ）などの小さい摩擦係数の材料で糸２００を被覆することによって、実現される。モノフィラメント糸は、ロープ１０をダクト内でより容易に滑らせることができる小さい摩擦係数を有し、ロープ１０をダクト内へと配置するために、より小さい引張力をとすることが可能である。一実施形態では、糸２００は、糸３００より小さい摩擦係数を有する。
【００２０】
一実施形態では、ロープ１０に関する動摩擦係数または滑り摩擦係数は、約０．０４から約０．１６まで、同様に約０．０６から約０．１４までの中間範囲、約０．０８から約０．１３までのより狭い範囲である。
【００２１】
一実施形態では、糸３００は、糸２００と織り合わされると共にロープ１０の長さに沿う連続的な環状の螺旋となっている１本の連続的なマルチフィラメント糸を周囲方向に備える。糸３００を連続的とすることは、これがロープ１０の摩擦係数を小さくする縫い目のないジャケットを作り出すため、好ましい。糸３００は、ロープ１０のジャケット部１０ｂを形成するために、モノフィラメント糸２００を所定位置に保持するという目的を持っている。好ましくは、糸３００は、少なくとも約４００ｌｂｓ、より好ましくは少なくとも１２００ｌｂｓ、より好ましくは少なくとも２５００ｌｂｓ、より好ましくは少なくとも３０００ｌｂｓの引張強度を有する。
【００２２】
ジャケット部１０ｂの織られた糸２００、３００は、例えば、平織り、繻子織り、綾織り、畝織り、斜子織り、ポプリン、ジャカード織り、および縮みの適切な織構造である。一実施形態では、糸２００、３００は綾織り構造である。別の実施形態では、糸２００、３００は、好ましくは畝織り構造である。綾織りまたは畝織りは、多くの縦糸方向（長手方向）の糸を、摩擦を小さくし、また、論理的に摩擦係数を小さくする表面に充てるので、好ましい。
【００２３】
本明細書に引用された刊行物、特許出願および特許を含むすべての参考文献は、各参考文献が個別にかつ具体的に参照により組み入れられるように示され、その全体が本明細書に記載されるのと同程度に参照により本明細書に組み込まれる。
【００２４】
本発明（特に、添付の特許請求の範囲の文脈において）を説明する文脈における用語「a」および「an」および「the」ならびに類似の指示対象の使用は、単数形および複数形の両方を包含するものと解釈されるべきである。本明細書で別段の指示がない限り、または文脈によって明確に矛盾しない限り、複数である。 「からなる」、「有する」、「含む」および「含有する」という用語は、別段の記載がない限り、制限のない用語（すなわち、「からなるが、これに限定されない」を意味する）として解釈されるべきである。本明細書中の値の範囲の列挙は、本明細書中に別段の指示がない限り、範囲内の各別個の値を個別に指す簡略方法として役立つことを意図しており、それぞれの個別値は本明細書中に個別に列挙されているかのように、本明細書中に記載される全ての方法は、本明細書中で他に指示されない限り、または文脈によって明らかに矛盾しない限り、任意の適切な順序で実施され得る。本明細書で提供される任意のおよびすべての例、または例示的な用語（例えば、「など」）の使用は、単に本発明をよりよく示すことを意図しており、特に断らない限り、本発明の範囲を限定するものではない。本明細書中のいかなる言葉も、本発明の実施に必須であると主張されていない要素を示すものとして解釈されるべきではない。
【００２５】
本発明を実施するために本発明者らに知られている最良の形態を含む、本発明の好ましい実施形態を本明細書に記載する。これらの好ましい実施形態の変形は、前述の説明を読むことにより当業者には明らかになるであろう。本発明者らは、当業者がこのような変形を適切に使用することを期待しており、本発明者らは本発明が本明細書に具体的に記載されたものとは別の方法で実施されることを意図する。したがって、本発明は、適用法によって許容されるように、添付の特許請求の範囲に記載された主題のすべての改変および均等物を含む。さらに、本明細書中で他に指示されない限り、または文脈によって明らかに否定されない限り、それらのすべての可能な変形における上述の要素の任意の組み合わせが本発明に包含される。
以下に、本願出願の当初の特許請求の範囲に記載された発明を付記する。
［１］  長さ方向、周囲方向、および外面を有する織物ロープであって、前記織物ロープは、  前記織物ロープの前記長さ方向に複数のマルチフィラメント繊維からなる内側部と、  ジャケット部とからなるものであって、前記ジャケット部は前記内側部を覆い、前記ジャケット部は、前記織物ロープの前記長さ方向にある複数のモノフィラメント繊維と、前記ジャケット部の前記長さ方向の前記モノフィラメント繊維と織り合わされた周囲方向にある少なくとも１つのマルチフィラメント繊維からなり、前記モノフィラメント繊維が前記織物ロープの大部分の外面を形成するものである、
織物ロープ。
［２］  前記内側部の前記マルチフィラメント繊維がポリエステルまたはアラミドからなる、［１］に記載の織物ロープ。
［３］  前記内側部の前記マルチフィラメント繊維が少なくとも約１，０００ｌｂｓの引っ張り強さを有する、［１］に記載の織物ロープ。
［４］  前記ジャケット部の前記マルチフィラメント繊維がポリエステルまたはポリプロピレンからなる、［１］に記載の織物ロープ。
［５］  前記ジャケット部の前記マルチフィラメント繊維が少なくとも約３，０００ｌｂｓの引っ張り強さを有する、［１］に記載の織物ロープ。
［６］  前記ジャケット部の前記モノフィラメント繊維がポリエチレンからなる、［１］に記載の織物ロープ。
［７］  前記ジャケット部における前記モノフィラメント繊維が、前記内側部における前記マルチフィラメント繊維および前記ジャケット部における前記マルチフィラメント繊維より小さい摩擦係数を有する、［１］に記載の織物ロープ。
［８］  前記ジャケット部における前記モノフィラメント繊維および前記マルチフィラメント繊維が、綾織り構造で織られる、［１］に記載の織物ロープ。
［９］  前記ジャケット部における前記モノフィラメント繊維および前記マルチフィラメント繊維が、畝織り構造で織られる、［１］に記載の織物ロープ。
［１０］  前記ジャケット部における前記モノフィラメント繊維および前記マルチフィラメント繊維が、平織り構造で織られる、［１］に記載の織物ロープ。
［１１］  前記織物ロープが、円形の断面形状を有する、［１］に記載の織物ロープ。
［１２］  前記織物ロープが、長円形の断面形状を有する、［１］に記載の織物ロープ。
［１３］  前記ジャケット部が、前記周囲方向において１本の連続的なマルチフィラメント繊維からなる、［１］に記載の織物ロープ。
【図１】
0006411627.tif 000002
【図２】
0006411627.tif 000003
【図３】
0006411627.tif 000004
【図４】
0006411627.tif 000005